(57)【要約】【課題】各エリア放送が正常か異常か親放送局で発報する。【解決手段】各エリア放送局と親放送局との間に回線を有し、各エリア放送局にエリア放送受信機能と映像録画機能と回線との接続機能とを内蔵したエリア放送受信端末とエリアサーバとエリア放送送信機とを有し、親放送局にエリア放送の映像録画機能とエリア放送のＴＳ作成機能とを内蔵した親放送局エリア放送サーバとエリア放送の映像比較機能と回線との接続機能とを内蔵した監視端末と表示装置とを有し、各エリア放送局のエリア放送受信端末に記録したエリア放送の映像圧縮の独立フレームのＴＳを回線の使用可能伝送速度に応じた間隔で親放送局の監視端末に伝送して、伝送された独立フレームに相当する親放送局の監視端末に記録したエリア放送の映像の独立フレームのＴＳと比較し、同一（正常）か相違（異常）か識別し上記表示装置に表示し警告音を発生し警告灯を点灯する。【選択図】図１
2011239057.tif 000002
【特許請求の範囲】
【請求項１】
各エリア放送局と親放送局との間に回線を有し、上記各エリア放送局にエリア放送受信機能と映像録画機能と上記回線との接続機能とを内蔵したエリア放送受信端末とエリアサーバとエリア放送送信機とを有し、親放送局にエリア放送の映像録画機能とエリア放送のＴＳ（Transport  Stream）作成機能とを内蔵した親放送局エリア放送サーバとエリア放送の映像比較機能と上記回線との接続機能とを内蔵した監視端末と表示装置とを有し、上記各エリア放送局のエリア放送受信端末に記録したエリア放送の映像圧縮の独立フレーム（Ｉピクチャ）のＴＳを上記回線の使用可能伝送速度に応じた間隔で上記親放送局の監視端末に伝送して、エリア放送の映像の伝送された独立フレームに相当する上記親放送局の監視端末に記録したエリア放送の映像の独立フレームのＴＳと比較し、同一（正常）か相違（異常）か識別し、上記表示装置に該同一（正常）か相違（異常）かを表示するまたは警告音を発生するまたは警告灯を点灯することの少なくとも一つを発報することを特徴とする放送システム。
【発明の詳細な説明】
【技術分野】
【０００１】
本発明は、所定地域に地上デジタル放送電波を送信するシステムに関するものである。
【背景技術】
【０００２】
地上デジタル放送（ＩＳＤＢ−Ｔ）の1チャンネル６ＭＨｚの周波数は、図３（ａ）の地上デジタル広域放送のセグメント配置を示す模式図のように、１４分割した４２８．６ｋＨｚの１３セグメントと両端２１４．３ｋＨｚのガードバンドからなる。現在の地上デジタル放送は、周囲の１２セグメントで伝送情報量の多い６４値直交振幅変調（６４ＱＡＭ）方式で高精細度テレビジョン放送（ＨＤＴＶ）1番組か標準テレビジョン放送（ＳＤＴＶ）３番組を伝送し、地上デジタル放送の1セグメント放送（以下1セグと省略）として、中央の０番目のセグメントで伝送誤りに強い４相位相偏移変調（ＱＰＳＫ）方式のＯＦＤＭ（Orthogonal  Frequency  Division  Multiplexing）で、Ｈ．２６４映像圧縮により、画素数320×240または320×180の映像、音声、データを伝送している。
【０００３】
ところで、図３（ｂ）の地上デジタルエリア放送のセグメント配置を示す模式図のように、市町村等の所定地域に共通に中央のセグメント＃０の地上デジタル放送のＱＰＳＫ方式電波を小電力で送信し、団地や集落等の所定地域の各部分に周辺のセグメント＃１からセグメント＃１２の各セグメント（１セグ）の地上デジタル放送または３セグメント単位の地上デジタルラジオ放送のＱＰＳＫ方式電波を小電力で送信するシステム（エリア放送）も提案されている。
また、中央のセグメント＃０の送信電界は周辺セグメントの送信電界より強く送信する方法が提案されている（特許文献１参照）。
【０００４】
中央のセグメント＃０の地上デジタル放送のＱＰＳＫ方式電波に２ｃｈの映像を伝送する半セグメント（半セグ）の地上デジタル放送も試験放送されている。
地上デジタル放送（ＩＳＤＢ−Ｔ）のかわりに、MediaFLO（Forward  Link  Only）やDMB-T（Digital  Multimedia  Broadcasting  for  Terrestrial）やT-DMB（Terrestrial-Digital  Multimedia  Broadcasting）やDVB-T（Digital  Video  Broadcasting-Terrestrial）やDVB-H（Digital  Video  Broadcasting-Handheld）と称されるデジタル映像を伝送する方式も提案されている。
中国では、ＴＤＭＡ（Time  Domain  Multiple  Access）やＴＤＳ（Time  Domain  Synchronous）やＣＤＭＡ（Code  Division  Multiple  Access）やＯＦＤＭの各種の組み合わせで映像、音声、データの伝送が検討されている。
【０００５】
有限な資源である周波数領域の有効利用から、その地域毎に空いている周波数領域をホワイトスペースと呼ぶ。
今後エリア放送は電波のホワイトスペース有効利用を目的に、市町村、展示場、大規模娯楽施設、商店街等で防災目的や商業目的に利用される見通しである。地上デジタル放送の広域放送とエリア放送を示す模式図を図４に示す。図４（ａ）は地上デジタル広域放送のセグメント配置を示し、図４（ｂ）は地上デジタルエリア放送のセグメント配置を示す模式図である。
【０００６】
従来の技術では、地上デジタル放送技術を用いて視聴者向けに放送を行っている場合に、放送地域で受信し、記録している。
【０００７】
地上デジタルエリア放送受信機能と映像録画機能を内蔵したパーソナルコンピュータが販売されている。
【０００８】
受信した映像を動画として親放送局に送るためには、安定した回線が必要となり、ランニングコストが嵩んでいた。そのため、親放送局側で各地上デジタルエリア放送が正常に流れているかを監視する運用は行なわれていなかった。
【先行技術文献】
【特許文献】
【０００９】
【特許文献１】特開２００９−２１２５７７号公報
【発明の概要】
【発明が解決しようとする課題】
【００１０】
本発明は、各エリア放送が正常か異常か親放送局で発報することを目的とする。
【課題を解決するための手段】
【００１１】
本発明は、上記の目的を達成するために、各エリア放送局と親放送局との間に回線を有し、上記各エリア放送局にエリア放送受信機能と映像録画機能と上記回線との接続機能とを内蔵したエリア放送受信端末とエリアサーバとエリア放送送信機とを有し、親放送局にエリア放送の映像録画機能とエリア放送のＴＳ（Transport  Stream）作成機能とを内蔵した親放送局エリア放送サーバとエリア放送の映像比較機能と上記回線との接続機能とを内蔵した監視端末と表示装置とを有し、上記各エリア放送局のエリア放送受信端末に記録したエリア放送の映像圧縮の独立フレーム（Ｉピクチャ）のＴＳを上記回線の使用可能伝送速度に応じた間隔で上記親放送局の監視端末に伝送して、エリア放送の映像の伝送された独立フレームに相当する上記親放送局の監視端末に記録したエリア放送の映像の独立フレームのＴＳと比較し、同一（正常）か相違（異常）か識別し、上記表示装置に該同一（正常）か相違（異常）かを表示するまたは警告音を発生するまたは警告灯を点灯することの少なくとも一つを発報することを特徴とする放送システムである。
【発明の効果】
【００１２】
以上説明したように本発明によれば、各エリア放送が正常か異常か親放送局で発報することができる。
【図面の簡単な説明】
【００１３】
【図１】本発明の一実施例の放送システムを示すブロック図
【図２】本発明の一実施例の親放送局の監視端末（パーソナルコンピュータ）の動作を示すフローチャート
【図３】地上デジタル放送のセグメントを示す模式図（（ａ）地上デジタル広域放送のセグメント配置、（ｂ）地上デジタルエリア放送のセグメント配置）
【図４】地上デジタル放送の広域放送とエリア放送を示す模式図（（ａ）広域放送とエリア放送の送信電力と放送領域（カバーエリア）、（ｂ）エリア放送の放送領域（カバーエリア））
【発明を実施するための形態】
【実施例１】
【００１４】
本発明の一実施例の放送システムを示すブロック図の図１と、本発明の一実施例の親放送局の監視端末（パーソナルコンピュータ）の動作を示すフローチャートの図２と、地上デジタル放送のセグメントを示す模式図の図３と、地上デジタル放送の広域放送とエリア放送を示す模式図の図４と、を用いて本発明を説明する。
【００１５】
各エリア放送局と親放送局との間にＶＰＮ（Virtual  Personal  Network）等のＩＰ（Internet  Protocol）網回線６を有し、親放送局のエリア放送サーバ２と、各エリア局に設置されたエリアサーバ１１とを接続する。図１では、エリア放送サーバ２とエリアサーバ１１とはＩＰ網回線６直接接続しているが、エリア放送サーバ２とエリアサーバ１１とはＬＡＮ接続で、図示しないルータでＩＰ網回線６と接続していても構わない。
【００１６】
図１において、１は放送運行データ作成端末で２あり事前に各エリアで放送する一日分の放送時刻と放送する素材ＩＤが記述されている放送運行データを作成する。２はエリア放送サーバであり映像コンテンツをＨ．２６４映像圧縮してトランスポートストリーム作成し、各エリア局に配信する放送運行データと共に、保存する。１１は各エリア局に設置されたエリアサーバであり、で接続されている。エリアサーバ１１は定期的に親放送局のエリア放送サーバ２から、放送運行データとＴＳ（Transport  Stream）を事前にＦＴＰ（File  Transfer  Protocol）でダウンロードして保存しておく。
【００１７】
各エリア局に設置されたエリアサーバ１１は保存しておいた放送運行データに従って、該当時刻になったら、保存されている映像コンテンツのＴＳをエリア送信機１２でOFDM変調し周波数変換し高周波数増幅し、アンテナ１４に出力し、エリア放送波を送信する。エリア放送波はアンテナ１５で受信し、エリア放送受信端末（パーソナルコンピュータ）１３で復調し、地上デジタルエリア放送の映像圧縮の独立フレーム（Ｉピクチャ）のＴＳを記録する。
【００１８】
エリア放送受信端末は、記録した地上デジタルエリア放送の映像圧縮の独立フレーム（Ｉピクチャ）のＴＳをＩＰ網回線６の使用可能伝送速度に応じた間隔で親放送局の監視端末に伝送して、地上デジタルエリア放送の映像の伝送された独立フレームに相当する監視端末に記録した地上デジタルエリア放送の映像の独立フレームのＴＳと比較し、同一（正常）か相違（異常）か識別し、上記表示装置に該同一（正常）か相違（異常）かを表示するまたは警告音を発生するまたは警告灯を点灯する。
【００１９】
本発明の伝送は、安定した回線を必要とすることなく、親放送局側で各エリア放送が正常かを監視することが可能となるため、ランニングコストの削減となる。
【００２０】
以上、ＩＰ網伝送とＯＦＤＭ変調の１セグメントのエリア放送とで説明した。
本発明のＩＰ網伝送は、無線ＬＡＮでも、ＷＡＮでも、高周波専用回線でも構わない。
また、本発明のエリア放送は、ＯＦＤＭ変調の地上デジタル放送（ＩＳＤＢ−Ｔ）の１セグメントの放送にこだわらず、半セグセグメントでも複数のセグセグメントでも、かまわない。また、映像圧縮の独立フレームを含むＴＳを一斉伝送するエリア無線ならば、MediaFLOやDMB-TやT-DMBやDVB-TやDVB-Hと称される方式でも、ＱＡＭ変調でも、ＴＤＭＡやＴＤＳやＣＤＭＡやＯＦＤＭの各種の組み合わせ方式でも、残留側波帯変調でも、かまわない。
【符号の説明】
【００２１】
１ ：放送運行データ作成端末，２ ：親放送局エリア放送サーバ、３ ：監視端末（パーソナルコンピュータ）、
１１ ：エリアサーバ，１２：エリア放送送信機、１３ ：エリア放送受信端末（パーソナルコンピュータ）、
１４，１５：エリア放送アンテナ
【図１】
2011239057.tif 000003
【図２】
2011239057.tif 000004
【図３】
2011239057.tif 000005
【図４】
2011239057.tif 000006